(57)【特許請求の範囲】
【請求項１】
容器内の内容物を通過させる注出口を有するヘッドを備え、該ヘッドを塗布すべき領域に対向させて内容物を塗布する塗布栓であって、
前記ヘッドに、その表面を覆い隠す軟材質の外皮体を配設してなり、
該外皮体は、前記注出口よりも外側に配置されて当該注出口を経た内容物を外界へ排出する少なくとも１つの開孔と、この開孔を含む局所領域を薄肉化すると共に弾性変形させることができるようにして前記ヘッドとの相互間に内部空間を区画形成し、その壁面において内容物を一旦衝突させたのち該開孔へと誘導する迂回経路を有することを特徴とする塗布栓。
【請求項２】
前記外皮体をヘッドとともに覆い隠すカバーキャップを備え、該カバーキャップは、外皮体の薄肉化された局所領域をヘッドの表面に押し付けて注出口を閉塞させる凸部を有する、請求項１記載の塗布栓。
【請求項３】
前記薄肉化された局所領域は、内容物の排出にかかる圧力が付加された場合には逆アール部を起点とする反転により迂回経路を形成するが、内容物の排出にかかる圧力が付加されない場合には逆アール部を起点にして前記ヘッドの表面に弾性接触してシール状態を維持するものである、請求項１又は２記載の塗布栓。
【請求項４】
前記外皮体がエラストマーである、請求項１〜３の何れかに記載の塗布栓。
【発明の詳細な説明】
【技術分野】
【０００１】
本発明は、容器の口部に取り付けられ、塗布すべき部位に直接接触させて内容物を塗布するのに好適な塗布栓に関するものであり、内容物の乾燥、固化を回避して内容物の安定注出を図ろうとするものである。
【背景技術】
【０００２】
容器の胴体部分をスクイズしてその口部に配置した塗布栓に内容物を供給し、該塗布栓を直接塗布すべき部位に押し当てることによって塗布する容器は、かゆみ止め剤等の薬剤を入れる容器として多用されている。
【０００３】
かかる容器に適用される塗布栓としては、内容物を含浸させて塗布するスポンジタイプのもの（例えば、特許文献１参照）や鍼状の突起を複数配置したブラシタイプのもの、あるいはドーム型のヘッドにエラストマーの如き軟質材を離脱可能に被せたもの等、これまでに様々のものが提案されているが、とくに、ドーム型のヘッドにエラストマーを配置した塗布栓は、ヘッドとエラストマーとの相互間（離脱面）において内容物が残存しやすく、その部位で内容物が乾燥、固化した場合に内容物の安定的な供給、塗布が行えないことが想定された。
【特許文献１】特許第３４１３４１４号公報
【発明の開示】
【発明が解決しようとする課題】
【０００４】
本発明の課題は、とくに注出口を有するヘッドの表面にエラストマーの如き軟質材を被せた塗布栓において従来生じていた問題を解消し得る新規な塗布栓を提案するところにある。
【課題を解決するための手段】
【０００５】
本発明は、容器内の内容物を通過させる注出口を有するヘッドを備え、該ヘッドを塗布すべき領域に対向させて内容物を塗布する塗布栓であって、
前記ヘッドに、その表面を覆い隠す軟材質の外皮体を配設してなり、
該外皮体は、前記注出口よりも外側に配置されて当該注出口を経た内容物を外界へ排出する少なくとも１つの開孔と、この開孔を含む局所領域を薄肉化すると共に弾性変形させることができるようにして前記ヘッドとの相互間に内部空間を区画形成し、その壁面において内容物を一旦衝突させたのち該開孔へと誘導する迂回経路を有することを特徴とする塗布栓である。
【０００６】
上記の構成になる塗布栓においては、前記外皮体をヘッドとともに覆い隠すカバーキャップを備えることが可能で、この場合には、該カバーキャップに、外皮体の薄肉化された局所領域をヘッドの表面に押し付けて注出口を閉塞させる凸部を設けるのが好ましい。
【０００７】
また、前記薄肉化された局所領域は、内容物の排出にかかる圧力が付加された場合には逆アール部を起点とする反転により迂回経路を形成するが、内容物の排出にかかる圧力が付加されない場合には逆アール部を起点にして前記ヘッドの表面に弾性接触してシール状態を維持するものが望ましく、前記外皮体はとくにエラストマーが有利に適合する。
【発明の効果】
【０００８】
外皮体の開孔を含む局所領域を薄肉化し該外皮体とヘッドとの相互間に内部空間を区画形成したため、内容物が通過する十分な広さの迂回経路が確保され内容物の安定的な供給が可能となる。
【０００９】
ヘッドの注出口から出た内容物は、迂回経路を形成する壁面に一旦衝突したのち、外皮体の開孔を通して外部へと排出されることから内容物の噴出速度を減ずることができる。
【発明を実施するための最良の形態】
【００１０】
以下、図面を用いて本発明をより具体的に説明する。
図１は本発明に従う塗布栓の実施の形態を示した図であり、図における１はチューブ等、スクイズが可能な容器、２は容器１の口部1aに一体的に成形された例で示した塗布栓である。
【００１１】
塗布栓２は注出口ｔを有するドーム型のヘッド2aと、このヘッド2aの表面を覆い隠す軟材質（エラストマーやゴム等）の外皮体2bからなっており、該外皮体2bはヘッド2aの基部でアンダーカットＣを介して着脱可能に取り付けられている。
【００１２】
また、３は外皮体2bに設けられヘッド2aの注出口ｔを経た内容物を外界へ排出する開孔、４はヘッド2aと外皮体2bの相互間に設けられた迂回経路である。この迂回経路４は開孔３を含む外皮体2bの局所領域ｍを薄肉化して内部空間を区画形成するもので、薄肉化された局所領域ｍは弾性変位することができるようになっている。
【００１３】
上記の構成になる塗布栓は、迂回経路４によって常に内部空間が形成されており、そこに内容物が残存して乾燥、固化することがあっても内容物を通過させるのに十分な通路を確保することが可能となるため、内容物を安定的な供給と塗布が可能となる。
【００１４】
また、容器１の胴体をスクイズするに当たって不用意に過大な加圧力が付加される場合においても、注出口ｔから噴出した内容物は迂回経路４の壁面に一旦衝突するので、適度な速度に減速される。
【００１５】
本発明に従う塗布栓は、図２に示すようなカバーキャップ５を備え付けておくことができる。この場合に、カバーキャップ５に凸部5aを設けて外皮体2bの局所領域ｍをヘッド2aの表面に押し付けて注出口ｔを閉塞させておくのがよく、収納状態において容器が転倒することがあっても内容物がこぼれ出ることがない。
【００１６】
図３は本発明に従う塗布栓の他の実施の形態を示した図である。
この塗布栓は、局所領域ｍを弾性力を付与する逆アール部が環状に形成されており、内容物の排出にかかる圧力が付加されていない場合には逆アール部6aを起点にして局所領域ｍがヘッド２の表面に接触してシール状態を維持するが、内容物の排出にかかる圧力が付加された場合には逆アール部6aを起点にして局所領域ｍが図４に示すように反転して迂回経路４を形成する。前記各実施形態において、図示したごとく、注出口ｔは外方に突出した円筒状とすることが、シール性の面から好ましい（密着性が高まる）。
【００１７】
かかる構成の塗布栓は、カバーキャップ５を装着しない状態で容器が転倒しても内容物が簡単に流出することがない利点がある。
【産業上の利用可能性】
【００１８】
内容物を安定的に排出して塗布できる塗布栓が提供できる。
【図面の簡単な説明】
【００１９】
【図１】本発明に従う塗布栓の実施の形態を示した図である。
【図２】カバーキャップを取り付けた状態を示した図である。
【図３】本発明に従う塗布栓の他の実施の形態を示した図である。
【図４】図３に示した塗布栓の使用状況を示した図である。
【符号の説明】
【００２０】
１  容器
1a  口部
２  塗布栓
2a  ヘッド
2b  外皮体
３  開孔
４  迂回経路
５  カバーキャップ
6a  逆アール部
Ｃ  アンダーカット
ｍ  局所領域
ｔ  注出口
【図１】
0004785478.tif 000002
【図２】
0004785478.tif 000003
【図３】
0004785478.tif 000004
【図４】
0004785478.tif 000005